(57)【要約】      （修正有）【課題】固定部の中心線上にケーブル又はケーブル束を位置決めする自動調心式ケーブルストラップを提供する。【解決手段】台座部２２と、保持される部品を受承するベッド部と、台座部２２に取り付けられた基端部分３２を有した緊結ストラップと、台座部２２に形成されたストラップ受容穴と、ベッド部においてストラップの基端部分３２とは反対側から突出した指部とを具備する。【選択図】図１
0003176869.tif 000002
【実用新案登録請求の範囲】
【請求項１】
自動調心式ストラップにおいて、
台座部と、
本考案の自動調心式ストラップによって保持される部品を受承するベッド部と、
前記台座部に取付けられた基端部分を有した緊結ストラップと、
前記台座部に形成されたストラップ受容穴と、
前記ベッド部において前記ストラップの基端部分とは反対側から突出した指部とを具備し、
前記指部が、前記ベッド部の表面によって規定される平面から外方に突出している自動調心式ストラップ。
【請求項２】
前記ベッド部から突出した第２の指部を更に具備する請求項１に記載の自動調心式ストラップ。
【請求項３】
前記台座部に連結された固定部を更に具備する請求項１に記載の自動調心式ストラップ。
【請求項４】
前記固定部が前記台座部に対して中心軸線上に配置されている請求項３に記載の自動調心式ストラップ。
【請求項５】
前記固定部が、ベース部とカバー部とから成る挟持構造を含む請求項３に記載の自動調心式ストラップ。
【請求項６】
前記カバー部の一側部に設けられたラッチ部と、前記カバー部とラッチ部との間に設けられたバネ連結部とを更に具備する請求項５に記載の自動調心式ストラップ。
【請求項７】
前記第２の指部が前記ベッド部から突出している請求項６に記載の自動調心式ストラップ。
【請求項８】
前記指部が、前記台座部の中心軸線に関して側方および軸方向に離反するように湾曲している先端部分を有している請求項１に記載の自動調心式ストラップ。
【請求項９】
前記ベッド部から突出した第２の指部を更に具備し、
該第２の指部が、前記台座部の中心軸線に関して側方および軸方向に離反するように湾曲している先端部分を有している請求項８に記載の自動調心式ストラップ。
【請求項１０】
自動調心式ストラップにおいて、
ベッド外面を形成する本体部分と、
基端部分において前記本体部分に取付けられた緊結ストラップであって、該緊結ストラップの長手方向に前記本体部分に選択的に固定可能で、かつ、先端部分を有した緊結ストラップと、
前記ベッドにおいて緊結ストラップの固定された基端部分とは反対側で、前記ベッド外面から側方および軸方向に突出した当接部とを具備する自動調心式ストラップ。
【請求項１１】
前記ベッドにおいて緊結ストラップの固定された基端部分とは反対側で、前記ベッド外面から側方および軸方向に突出した第２の当接部を更に具備し、該第２の当接部が前記第１の当接に対して離間配置されている請求項１０に記載の自動調心式ストラップ。
【請求項１２】
前記本体部分に連結された固定部を更に具備する請求項１１に記載の自動調心式ストラップ。
【請求項１３】
前記固定部が前記本体部分に対して軸方向に一直線上に配置されている請求項１２に記載の自動調心式ストラップ。
【請求項１４】
挟持構造を形成するベース部とカバー部、前記ベース部を前記カバー部に連結するヒンジ部、および、前記ヒンジ部の反対側に配設され前記カバー部を前記ベース部に繋止するラッチ部とを更に具備する請求項１２に記載の自動調心式ストラップ。
【請求項１５】
前記ラッチ部が、柔軟なバネによって前記カバー部に連結されている請求項１４に記載の自動調心式ストラップ。
【請求項１６】
自動調心式ストラップにおいて、
一端に設けられた固定部と、保持される物品に係合する外面を形成する反対側の端部に設けられベッド部とを含む本体部分と、
前記本体部分において前記固定部と前記外面との間に形成されたストラップ受容穴と、
前記本体部分に取付けられた基端部分と、先端部分とを有し、該先端部分を前記ストラップ受容穴内に挿通し、前記ベッド部の上にループを形成する細長く柔軟な緊結ストラップと、
前記ベッド部において緊結ストラップが前記本体部分に固定された基端部分とは反対側で、前記外面から側方および軸方向に突出した指状の当接部とを具備する自動調心式ストラップ。
【請求項１７】
前記第１の指状の当接部に対して離間配置され、前記外面から側方および軸方向に突出した第２の当接部を更に具備する請求項１６に記載の自動調心式ストラップ。
【請求項１８】
前記固定部が前記ベッド部に対して軸方向に一直線上に配置されている請求項１７に記載の自動調心式ストラップ。
【請求項１９】
挟持構造を形成するベース部とカバー部とを更に具備する請求項１７に記載の自動調心式ストラップ。
【請求項２０】
前記挟持構造が、柔軟なバネによって前記カバー部に連結されたラッチ部を含む請求項１９に記載の自動調心式ストラップ。
【考案の詳細な説明】
【技術分野】
【０００１】
本考案は、目的物を全周締結するためのストラップに関し、特に、ベース部またはアンカー部と、ケーブルやワイヤー、チューブを保持するためのストラップ部を有した締結ストラップに関する。
【０００２】
なお、本願は、2009年7月7日に出願された米国特許仮出願第61/223,451号の優先権を主張する。
【背景技術】
【０００３】
ケーブルストラップは、ワイヤーやケーブルの束のような物品を互いに締結するため、或いは、ワイヤーやケーブルを対象物に締結するために用いられる。例えば、複数のワイヤーが共通した経路沿いに延設されている場合、外見を整えるために締結ストラップやケーブルストラップを用いてワイヤー同士またはケーブル同士を緊結する。同様のストラップは、また、１または複数のワイヤーまたはケーブルをフレームやパイプその他の対象物に固定し、これら対象物をワイヤー等に対して相対位置を固定するために利用可能である。こうして、ワイヤーを目立たない位置に保持し、かつ、危険なもつれその他の損傷から保護することができる。
【０００４】
自動車や機器等の構造体にケーブルやワイヤー等を取り付けるための周知のケーブルストラップは、締結ストラップ組立体を前記構造体の部品の固定穴に固定するための変形可能な脚部のような一種の固定構造と、ケーブルストラップを選択した位置で固定するための挟持構造とを含んでいる。保持すべきケーブルやワイヤーを支持するためのベッド部を有した台座部が固定構造の頂部から突出している。台座部に連結されているストラップをケーブルやワイヤーの周囲に巻きつけ、そして該ストラップの先端をベッド部の下側で台座部に形成された係止穴に指し通す。ストラップに設けた複数の突起部が、係止穴に設けた共働部分に係合し、ストラップが係合穴から脱離することが防止される。こうして、ケーブルやワイヤーはストラップによって台座部のベッド部に緊結される。
【考案の概要】
【考案が解決しようとする課題】
【０００５】
こうしたケーブルストラップの使用に際して、１本の大径のケーブル或いは複数のケーブルの束が、台座部のベッド部上で中心から外れた状態で安定してしまう現象が確認されている。１本のケーブル或いは複数のケーブルに巻きつけたストラップをピンと引っ張り係止穴に固定する際、ストラップの角度が台座部から逸脱し次第に９０°に近づく。従って、ケーブルまたはケーブル束は、ケーブルの取付端から離反する方向に付勢される。これによって、ケーブルまたはケーブル束の中心が、台座部の中心線および固定部および固定穴の中心線から外れてしまう。これによって、固定部が固定穴に対して捩れたり屈曲したりして、損傷および／または脱離してしまうことがある。
【０００６】
ケーブルストラップの固定部の中心線上にケーブルまたはケーブル束を位置決めする自動調心式ケーブルストラップの必要性およびそれを提供することの利点がある。
【課題を解決するための手段】
【０００７】
本考案の自動調心式ケーブルストラップは、ベッド部においてストラップの固定端の反対側から突出した指部を含み、ベッド部のケーブルまたはケーブル束をベッド部上に一層中心に位置決め保持するようになっている。
【０００８】
自動調心式ケーブルストラップの１つの形態では、台座部と、該自動調心式ケーブルストラップによって保持される部品を受承するベッド部と、前記台座部に固定された基端部分を有した緊結ストラップとを備えている。前記台座部にはストラップ受容穴が形成されている。指状の当接部が、前記台座部において前記ストラップの基端部分とは反対側において前記ベッド部から突出している。前記指状の当接部は、前記ベッド部の表面によって規定される平面から外方に突出している。
【０００９】
本考案の自動調心式ケーブルストラップの他の形態では、ベッド外面を形成する本体部分と、基端部分において前記本体部分に取付けられた緊結ストラップであって、該緊結ストラップの長手方向に前記本体部分に選択的に固定可能で、かつ、先端部分を有した緊結ストラップと、前記ベッドにおいて緊結ストラップの固定された基端部分とは反対側で、前記ベッド外面から側方および軸方向に突出した当接部とを備えている。
【００１０】
本考案の自動調心式ケーブルストラップの更に他の形態では、本体部分が、一端に設けられた固定部と、保持される物品に係合する外面を形成する反対側の端部に設けられベッド部とを含む。ストラップ受容穴が、前記本体部分において前記固定部と前記外面との間に形成されている。細長く柔軟な緊結ストラップが、前記本体部分に取付けられた基端部分と、先端部分とを有し、該先端部分を前記ストラップ受容穴内に挿通し、前記ベッド部の上にループを形成する。指状の当接部が、前記ベッド部において緊結ストラップが前記本体部分に固定された基端部分とは反対側で、前記外面から側方および軸方向に突出している。
【考案の効果】
【００１１】
本考案の自動調心式ケーブルストラップの少なくとも１つの形態は、固定穴内のケーブルストラップの固定部と、該自動調心式ケーブルストラップによって保持されるケーブルまたはケーブル束とを中心位置決めされる利点を有している。
【００１２】
本考案の自動調心式ケーブルストラップの少なくとも１つの形態の更なる利点は、係止機構が一定に管理された繋止力を発揮する点である。
【００１３】
本考案の更なる特徴および利点は、以下の詳細な説明、実用新案登録請求の範囲および図面から当業者には明らかとなろう。添付図面において、同様の構成要素には同じ参照番号が付されている。
【図面の簡単な説明】
【００１４】
【図１】ケーブルを保持する自動調心式ケーブルストラップの断面立面図である。
【図２】図１の自動調心式ケーブルストラップの斜視図である。
【図３】他の実施形態による自動調心式ケーブルストラップの平面図である。
【図４】図３の自動調心式ケーブルストラップの側面図である。
【図５】複数のケーブルから成る束を保持する図３、４の自動調心式ケーブルストラップの立面図である。
【図６】図３〜図５の自動調心式ケーブルストラップの固定部の側面図である。
【図７】部分的に閉じた固定部を示す図３〜図６の自動調心式ケーブルストラップの固定部の側面図である。
【考案を実施するための形態】
【００１５】
本考案の実施形態を説明する前に、本考案が、添付図面に示し以下に説明する構造の詳細や部品の配置に限定されないことを理解されたい。本考案は他の形態や種々の方法で実施可能である。また、ここで用いる表現や用語は説明目的のためであって限定することを意図していない。本明細書において「含む(including)」や「より成る(comprising)」等の語は、その後に列挙される箇条およびその均等物、並びに、付加的な箇条およびその均等物を包含する。
【００１６】
添付図面、特に図１、２を参照すると、自動調心式ケーブルストラップ１０が図示されている。自動調心式ケーブルストラップ１０は、本体部分１２と、該本体部分１２から延びケーブル１６のような物品１６を保持するための緊結ストラップ１４とを含む。図示する自動調心式ケーブルストラップ１０は１本のケーブル１６を保持しているが、自動調心式ケーブルストラップ１０は、同じサイズまたは異なるサイズの複数のケーブル１６を保持可能であり、また図示するケーブル１６以外に複数のワイヤー、管、ホース等を保持可能である。ケーブルまたは複数のケーブルとの記載は説明目的であって、限定する趣旨ではない。
【００１７】
本体部分１２および緊結ストラップ１４を含む自動調心式ストラップ１０は、プラスチック等から射出成形によって一体的に形成することができる。
【００１８】
本体部分１２はスカート部１８を含んでおり、該スカート部１８の一側に固定部２０が、そして反対側に台座部２２が配設されている。台座部２２は、外面２６を備えたベッド部２４を有しており、該外面に緊結ストラップ１４によって緊結されるケーブル１６等が係合する。固定部２０は、周知の方法で該自動調心式ケーブルストラップ１０を構造体に形成した取付穴（図示せず）に固定するための一対の可撓性脚部２８によって形成することができる。固定部２０は、当業者には容易に理解されるように、支柱や挟持構造（クランプ）等の様々な形態とすることができよう。
【００１９】
台座部２２には、ベッド部２４の外面２６の下側に配置された緊結ストラップ受容穴３０が形成されている。緊結ストラップ１４の先端部分が受容穴３０に挿通され、該受容穴内に保持される。
【００２０】
緊結ストラップ１４は、台座部２２に連結された基端部分３２と、先端部分３４とを有している。柔軟で可撓性の材料から成る細長い部材であって、該細長い部材は、ベッド部２４に対して保持すべきケーブル１６のような物品の周囲に巻きつけ、先端部分３４をストラップ受容穴３０内に挿通して該ストラップ受容穴に選択的に固定しベッド部２４上にループを形成可能な長さを有している。緊結ストラップ１４は、例えば、係止構造として緊結ストラップ１４の一方の側面または両側面に形成された複数の瘤、突起、横断する畝、穴のような一連の凹凸その他の構造３６を含むことができる。係止構造は、ストラップ受容穴３０に設けられた相補的な係止構造（図示せず）と共働する。当業者には容易に理解されるように、こうした緊結ストラップ１４とストラップ受容穴３０に設けられた共働する係止構造は、容易に緊結ストラップ１４をストラップ受容穴３０内へ挿入し物品１６に対して緊結ストラップ１４を締付け可能とするが、ストラップ受容穴３０からの緊結ストラップ１４が抜去される反対方向への緊結ストラップ１４の移動を禁止する方向性を持った作用をなす。
【００２１】
緊結ストラップ１４の基端部分３２を同緊結ストラップの中央部分３８よりも薄くして、台座部２２への取付点に対して基端部分３２の柔軟性および屈曲性を高めることができる。基端部分３２の内側の表面に、保持される物品１６に係合する1または複数の細長いバンパー部４０、４２を設けることができる。一例として示す実施形態では、２つの細長いバンパー部４０、４２が図示されているが、一層多い或いは少ないバンパー部４０、４２を用いてもよい。先端部分３４もまた中央部分３８よりも薄く形成し、容易に屈曲して方向付けストラップ受容穴３０へ挿通可能とすることができる。先端部分３４の一方の側面或いは両側面に複数の把持畝部４４を設け、緊結ストラップ１４をストラップ受容穴３０内に挿し通す際に、容易に把持、牽引して、保持される物品１６に対して緊密に巻きつけられるようにできる。
【００２２】
第１と第２の指状の当接部５０、５２が、ベッド部２４においてストラップの基端部分３２の取付点から反対側に突出している。指状の当接部５０、５２はベッド部２４の湾曲した突出部分であって、ベッド部２４から側方へ、そして台座部２２から離反する方向に外面２６から突出している。こうして、指状の当接部５０、５２は、台座部２２および／またはベッド部２４に連結された基端部分５４、５６と、自動調心式ストラップ１０の中心線に関して横断方向および軸方向の双方にベッド部２４の外面２６から離間した先端部分５８、６０とを有している。図示するように鉛直方向に配置すると、指状の当接部の先端部分５８、６０は、ベッド部２４の外面２６の平面から上方に配置される。指状の当接部５０、５２は、物品１６を位置決めし以て物品１６が回転して該指状の当接部の先端部分５８、６０を乗り越え脱離できないようにする保持部材として作用する。各指状の当接部５０、５２の長さや角度は、保持される物品１６のサイズによって選択可能である。小径の物品１６については急峻な角度の小さい指状の当接部５０、５２を、そして大径の物品１６については緩い角度の大きな指状の当接部５０、５２を用いることができよう。
【００２３】
図１に示すように、ベッド部２４と指状の当接部５０、５２によって物品１６を保持する受け台が形成される。物品１６に対して緊結ストラップ１４を締付けることによって、物品１６は指状の当接部５０、５２に対して押圧されるが、回転して該指状の当接部を乗り越えることはできない。こうして、物品１６は、ベッド部２４上で中心位置決めされ、本体部分１２の中心線上に配置される。
【００２４】
図３〜図７に第２の実施形態による自動調心式ケーブルストラップ１１０を示す。自動調心式ケーブルストラップ１１０は、本体部分１１２と、該本体部分１１２から延びケーブル１１６ａ〜ｃのような物品１１６を保持するための緊結ストラップ１１４とを含む。図示する自動調心式ケーブルストラップ１１０は３本のケーブル１１６ａ、１１６ｂ、１１６ｃを保持しているが、自動調心式ケーブルストラップ１１０は、同じサイズまたは異なるサイズの一層多い或いは少ない数の物品１１６を保持可能であり、また図示するケーブル１１６ａ、１１６ｂ、１１６ｃ以外に複数のワイヤー、管、ホース等を保持可能である。本体部分１１２および緊結ストラップ１１４は、自動調心式ケーブルストラップ１１０の固定部１２０に関連して後述する特徴を除いて、自動調心式ケーブルストラップ１０に関連して既述した本体部分１２および緊結ストラップ１４と同様である。従って、台座部１２２および外面１２６を有したベッド部１２４は、既述した台座部２２、ベッド部２４および外面２６と同様である。ストラップ受容穴１３０はストラップ受容穴３０と同様である。緊結ストラップ１１４は、自動調心式ケーブルストラップ１０に関連して既述した基端部分３２、先端部分３４、中央部分３８、バンパー部４０、４２、把持畝部４４と同様の基端部分１３２、係止構造１３６を備えた先端部分１３４、中央部分１３８、バンパー部１４０、１４２、把持畝部１４４を有している。指状の当接部５０、５２と同様の指状の当接部１５０、１５２が先端部分１５８、１６０を有している。
【００２５】
固定部１２０は、自動調心式ケーブルストラップ１１０を保持するためのロッド、パイプ、ホース、構造部材その他の部材より成る構造１７０を把持する挟持装置である。固定部１２０は、ヒンジ部１７６によって互いに連結されたベース部１７２とカバー部１７４とを含んでいる。ヒンジ部１７６は、図５、６に示す閉鎖位置と開放位置との間でベース部１７２とカバー部１７４とを相対的に回転可能にする、ベース部１７２とカバー部１７４とを連結する重難な薄肉部分である。カバー部１７４においてヒンジ部１７６の反対側の外縁部分にはラッチ部１７８が形成されており、該ラッチ部はベース部１７２に係合して、ベース部１７２とカバー部１７４との相対的な位置を閉鎖位置に保持する。ベース部１７２へのラッチ部１７８の繋止力を一定にするために、ラッチ部１７８とカバー部１７４との間に柔軟なバネ連結部１８０が形成されている。こうして、ラッチ部１７８をベース部１７２に繋止するために、カバー部１７４またはラッチ部１７８を撓ませる必要はない。繋止するために必要な力はバネ連結部１８０の撓みによって決定または制御される。図７に示すように、ラッチ部１７８は、バネ連結部１８０が撓むことによって、破線で示すように僅かに偏倚する。ラッチ部１７８をベース部１７２に繋止するために必要な力はバネ連結部１８０の剛性によって決定され、バネ連結部の剛性は、バネ連結部１８０の厚さや幅の変更を含む多くの方法で増減可能である。
【００２６】
図示する実施形態では、自動調心式ケーブルストラップ１０、１１０は、台座部２２、１２２、固定部２０、１２０、外面２６、１２６が同軸状に配置されている。然しながら、固定部は、台座部およびベッド部に対して所定量を以てオフセットさせて配置するようにしてもよいことは当業者には容易に理解されよう。既述した指状の当接部５０、５２、１５０、１５２の使用を含む自動調心の特徴は、台座部およびベッド部に対して意図的にオフセット配置された固定部を有するケーブルストラップの形態でも有利に用いることができる。ケーブル、ワイヤー、管等を台座部およびベッド部に対して中心に位置決めする自動調心の特徴は、また、固定部に対するオフセットさせた望ましい位置関係、並びに、組立体全体の中での望ましい配置および取付けを維持するのに役立つ。例えば、ケーブルストラップの固定部を取着可能な穴や管その他の構造が、ケーブルストラップによって保持するケーブル、ワイヤー、管等を取回す望ましい経路沿いに設けることができないことがある。こうした場合に、ケーブルや管またはワイヤーを保持するために、台座部およびベッド部に対して固定部をオフセットさせたケーブルストラップを用いることができる。台座部およびベッド部に対するケーブル、管、ワイヤーの適切な位置決めを容易にすることによって、部品の全体的な望ましいそして設計上の位置関係を容易にし、また、ケーブルストラップを望ましい位置に組付けることが容易になる。こうして、ベッド部に対して中心軸線上に配置された固定部を有した既述の実施の形態は、既述した自動調心の特徴の使用または応用を限定するものではなく、そして実用新案登録請求の範囲を限定する趣旨でもない。
【００２７】
既述の実施の形態の変形および修正は本考案の範囲に包含される。ここに開示しまた規定する本考案は、既述した個々の特徴または本明細書および／または図面から明らかな特徴を２つ以上組合せた全ての代替例に及ぶことは理解されよう。これら全ての異なる組合せは、本考案の様々な代替的特徴を構成する。ここに説明した実施形態は、本考案を実施する上で現在分かっているベストモードであって、当業者が本考案を実施可能とするものである。実用新案登録請求の範囲は、従来技術から許される範囲に至るまで代替的実施形態を包含するものとして規定される。
本考案の種々の特徴は実用新案登録請求の範囲に記載される。
【符号の説明】
【００２８】
１０    自動調心式ケーブルストラップ
１２    本体部分
１４    緊結ストラップ
１６    ケーブル
１８    スカート部
２０    固定部
２２    台座部
２４    ベッド部
２６    外面
２８    可撓性脚部
３０    ストラップ受容穴
３２    基端部分
３４    先端部分
３６    凹凸その他の構造
３８    中央部分
４０    バンパー部
４２    バンパー部
４４    把持畝部
５０    第２の指状の当接部
５２    第２の指状の当接部
５４    基端部分
５６    基端部分
５８    先端部分
６０    先端部分
１１０    自動調心式ケーブルストラップ
１１２    本体部分
１１４    緊結ストラップ
１１６    物品
１１６ａ    ケーブル
１１６ｂ    ケーブル
１１６ｃ    ケーブル
１２０    固定部
１２２    台座部
１２４    ベッド部
１２６    外面
１３０    ストラップ受容穴
１３２    基端部分
１３４    先端部分
１３６    係止構造
１３８    中央部分
１４０    バンパー部
１４２    バンパー部
１４４    把持畝部
１５０    指状の当接部
１５２    指状の当接部
１５８    先端部分
１６０    先端部分
１７２    ベース部
１７４    カバー部
１７６    ヒンジ部
１７８    ラッチ部
１８０    バネ連結部
【図１】
0003176869.tif 000003
【図２】
0003176869.tif 000004
【図３】
0003176869.tif 000005
【図４】
0003176869.tif 000006
【図５】
0003176869.tif 000007
【図６】
0003176869.tif 000008
【図７】
0003176869.tif 000009